(57)【特許請求の範囲】
【請求項１】
ローカル通信チャネル（１１ｃ）を通して対応する第２の通信装置（１１ａ、１１ｂ）と接続可能な第１の通信装置（１１ａ、１１ｂ）であって、受信された無線信号の交差偏波間干渉消去を実行する前記第１の通信装置において、
前記第１の通信装置（１１ａ）は、交差偏波無線信号の２つの直交する成分のうちの第１の成分を復調する第１のＱＡＭ復調器（２２、４２）および第２のＱＡＭ復調器（２３、４３）を備え、
前記第１の通信装置（１１ａ）は、前記第１のＱＡＭ復調器および前記第２のＱＡＭ復調器（２２、２３；４２、４３）の各々の下流に接続される第１のアナログ差動インターフェースステージ（２１ａ、４１ｂ）および第２のアナログ差動インターフェースステージ（３１ａ、５１ｂ）であって、前記交差偏波無線信号の前記第１の成分の個々のＱＡＭ復調された成分を差動アナログ信号として前記ローカル通信チャネル（１１ｃ）上で送信する前記第１のアナログ差動インターフェースステージおよび前記第２のアナログ差動インターフェースステージを備えることを特徴とし、
前記第１の通信装置（１１ａ）は、前記第２の通信装置（１１ｂ）と共有される情報を含むデジタルデータストリームを生成するデジタルデータストリームソース（２４）を備え、
当該デジタルデータストリームは、前記ローカル通信チャネル（１１）の中に組み込まれるデジタルチャネルの中で前記情報を伝達するためのコモンモード信号として、前記第１のアナログ差動インターフェースステージおよび前記第２のアナログ差動インターフェースステージに与えられる、
第１の通信装置。
【請求項２】
前記ローカル通信チャネル（１６、１７）からの前記交差偏波無線信号の前記２つの互いに直交する成分のうちの第２の成分の互いに直交するＱＡＭ復調された成分を受信する第３の差動インターフェースステージおよび第４の差動インターフェースステージ（２１ｂ、３１ｂ、４１ａ、５１ａ）をさらに含む、請求項１の第１の通信装置。
【請求項３】
前記データストリームソース（２４）の下流に接続されるクロックデータ符号器（２５）であって、送信前に前記デジタルデータストリームを符号化する前記クロックデータ符号器と、
クロック生成器（２６）と、
をさらに備え、
前記クロックデータ符号器（２５）は、バッファ（２７）を通して、前記第１のアナログ差動インターフェースステージおよび前記第２のアナログ差動インターフェースステージに接続される、
請求項１の第１の通信装置。
【請求項４】
前記第１の通信装置は、前記第３の差動インターフェースステージおよび前記第４の差動インターフェースステージ（２１ｂ、３１ｂ、４１ａ、５１ａ）の出力に接続される少なくとも１つの交差偏波間干渉補償器（ＸＰＩＣ）（３２、３３、５２、５３）を備える、請求項２の第１の通信装置。
【請求項５】
前記デジタルデータストリームは、マンチェスタ符号または３３／６６％のパルス幅変調符号を通して符号化される、請求項１の第１の通信装置。
【請求項６】
前記情報は、変調次数、トラフィックレート、無線チャネルの品質、障害およびアラームの検出のうちのいずれか１つである、請求項１〜５のいずれか１項の第１の通信装置。
【請求項７】
前記通信装置は、適応変調および交差偏波消去の無線リンクに適した変復調装置である、請求項１の第１の通信装置。
【請求項８】
直交偏波を伴う無線信号を受信するための無線リンク（１１、１２）の受信機ステージであって、
交差偏波無線信号（１３）の垂直成分（１３ａ）を復調する垂直偏波通信装置（１１ａ、１２ａ）および前記交差偏波無線信号（１３）の水平成分（１３ｂ）を復調する水平偏波通信装置（１１ｂ、１２ｂ）
を含み、
前記垂直偏波通信装置および前記水平偏波通信装置（１１ａ、１２ａ）は、ＸＰＩＣ消去を提供するためにローカル通信チャネル（１１ｃ、１２ｃ）を共有し、
前記通信装置（１１ａ、１２ａ、１１ｂ、１２ｂ）の各々は、前記交差偏波無線信号の２つの直交する成分の各々を復調する第１のＱＡＭ復調器（２２、４２）および第２のＱＡＭ復調器（２３、４３）を備え、
前記交差偏波無線信号の２つの直交する成分は、前記垂直偏波通信装置のための前記垂直成分および前記水平偏波通信装置のための前記水平成分であり、
前記通信装置（１１ａ、１２ａ、１１ｂ、１２ｂ）の各々は、前記第１のＱＡＭ復調器および前記第２のＱＡＭ復調器（２２、２３；４２、４３）の各々の下流に接続される第１のアナログ差動インターフェースステージ（２１ａ、４１ｂ）および第２のアナログ差動インターフェースステージ（３１ａ、５１ｂ）であって、前記交差偏波無線信号の個々の前記成分の個々のＱＡＭ復調された成分を差動アナログ信号として前記ローカル通信チャネル（１６、１７）上で前記通信装置（１１ａ、１２ａ、１１ｂ、１２ｂ）の他方に向けて送信する前記第１のアナログ差動インターフェースステージおよび前記第２のアナログ差動インターフェースステージをさらに備え、
前記垂直偏波通信装置および前記水平偏波通信装置（１１ａ、１２ａ、１１ｂ、１２ｂ）の各々は、他方の通信装置（１１ｂ、１２ｂ）と共有される情報を含むデジタルデータストリームを生成するデジタルデータストリームソース（２４）を備え、
当該デジタルデータストリームは、前記ローカル通信チャネル（１６、１７）の中に組み込まれるデジタルチャネルの中で前記情報を前記垂直偏波通信装置および前記水平偏波通信装置（１１ｂ、１２ｂ、１１ａ、１２ａ）のうちの他方に伝達するためのコモンモード信号として、前記第１のアナログ差動インターフェースステージおよび前記第２のアナログ差動インターフェースステージ（２１ａ、３１ａ）に与えられる、
ことを特徴とする受信機ステージ。
【請求項９】
前記垂直偏波通信装置および前記水平偏波通信装置の各々は、前記ローカル通信チャネル（１６、１７）からの前記交差偏波無線信号の前記２つの成分のうちの他方の成分の互いに直交するＱＡＭ復調された成分を受信する第３の差動インターフェースステージおよび第４の差動インターフェースステージ（２１ｂ、３１ｂ、４１ａ、５１ａ）をさらに含む、請求項８の受信機ステージ。
【請求項１０】
前記垂直偏波通信装置および前記水平偏波通信装置の各々は、
前記データストリームソース（２４）の下流に接続されるクロックデータ符号器（２５）であって、送信前に前記デジタルデータストリームを符号化する前記クロックデータ符号器と、
クロック生成器（２６）と、
をさらに備え、
前記クロックデータ符号器（２５）は、バッファ（２７）を通して、前記第１のアナログ差動インターフェースステージおよび前記第２のアナログ差動インターフェースステージに接続される、
請求項８の受信機ステージ。
【請求項１１】
前記垂直偏波通信装置および前記水平偏波通信装置の各々は、前記第３の差動インターフェースステージおよび前記第４の差動インターフェースステージ（２１ｂ、３１ｂ、４１ａ、５１ａ）の出力に接続される少なくとも１つの交差偏波間干渉補償器（ＸＰＩＣ）（３２、３３、５２、５３）をさらに備える、請求項９の受信機ステージ。
【請求項１２】
前記デジタルデータストリームは、マンチェスタ符号または３３／６６％のパルス幅変調符号を通して符号化される、請求項８の受信機ステージ。
【請求項１３】
前記情報は、変調次数、トラフィックレート、無線チャネルの品質、障害およびアラームの検出のうちのいずれか１つである、請求項８から１２のうちの１つ以上の受信機ステージ。
【請求項１４】
前記垂直偏波通信装置および前記水平偏波通信装置の各々は、適応変調および交差偏波消去の無線リンクに適した変復調装置である、請求項８の受信機ステージ。
【請求項１５】
直交偏波を伴う無線信号を伝達するための複数の無線リンク（１１、１２）
を含み、
各無線リンク（１１、１２）は、請求項８から１４のいずれか１項の受信機ステージを含む、
無線通信ネットワーク（１０）。
【請求項１６】
無線通信ネットワーク（１０）において複数の無線リンク（１１、１２）間で無線信号を伝達する方法であって、
各無線リンクは、請求項８から１４のいずれか１項の受信機ステージを含む
ことを特徴とし、前記方法は：
−各無線リンク（１１、１２）において、前記垂直偏波通信装置（１１ａ、１２ａ）と前記水平偏波通信装置（１１ｂ、１２ｂ）との間で共有される前記ローカル通信チャネル（１１ｃ、１２ｃ）を提供するステップと；
−前記ローカル通信チャネル（１６、１７）上で、前記垂直偏波通信装置（１１ａ、１２ａ）から前記水平偏波通信装置（１１ｂ、１２ｂ）に向けて、前記第１のアナログ差動インターフェースステージおよび前記第２のアナログ差動インターフェースステージ（２１ａ、３１ａ、４１ｂ、５１ｂ）を通して、前記交差偏波無線信号の前記垂直成分の前記個々のＱＡＭ復調された成分を差動アナログ信号として送信するステップと；
−前記ローカル通信チャネル（１６、１７）上で、前記水平偏波通信装置（１１ａ、１２ａ）から前記垂直偏波通信装置（１１ｂ、１２ｂ）に向けて、前記第１のアナログ差動インターフェースステージおよび前記第２のアナログ差動インターフェースステージ（２１ａ、３１ａ、４１ｂ、５１ｂ）を通して、前記交差偏波無線信号の前記水平成分の前記個々のＱＡＭ復調された成分を差動アナログ信号として送信するステップと；
を含み、
前記方法は、前記垂直偏波通信装置（１１ａ、１２ａ）および前記水平偏波通信装置（１１ｂ、１２ｂ）のいずれかで、
−他方の通信装置（１１ｂ、１２ｂ）と共有される情報を含む前記デジタルデータストリームを生成し、前記ローカル通信チャネル（１６、１７）の中に組み込まれるデジタルチャネルの中で前記垂直偏波通信装置および前記水平偏波通信装置（１１ｂ、１２ｂ、１１ａ、１２ａ）のうちの他方に前記情報を伝達するためのコモンモード信号として、前記第１のアナログ差動インターフェースステージおよび前記第２のアナログ差動インターフェースステージ（２１ａ、３１ａ、４１ｂ、５１ｂ）に前記デジタルデータストリームを与えるステップ
をさらに特徴とする、方法。
【請求項１７】
−前記交差偏波無線信号の前記垂直成分の前記個々のＱＡＭ復調された成分は、クロストーク補償信号を取得するために、前記水平偏波通信装置の交差偏波間干渉補償器（３２、３３、５２、５３）に送信され、
−前記交差偏波無線信号の前記水平成分の前記個々のＱＡＭ復調された成分は、クロストーク補償信号を取得するために、前記垂直偏波通信装置の交差偏波間干渉補償器（３２、３３、５２、５３）に送信される、
請求項１６の方法。
【請求項１８】
−前記垂直偏波通信装置（１１ａ、１２ａ）で、前記交差偏波無線信号の前記垂直成分の前記個々のＱＡＭ復調された成分から、前記水平偏波通信装置からの前記クロストーク補償信号を差し引くステップと；
−前記水平偏波通信装置（１１ａ、１２ａ）で、前記交差偏波無線信号の前記水平成分の前記個々のＱＡＭ復調された成分から、前記垂直偏波通信装置（１１ａ、１２ａ）からの前記クロストーク補償信号を差し引くステップと；
をさらに含む、請求項１７の方法。
【請求項１９】
前記デジタルデータストリームを与える前記ステップは、前記垂直偏波通信装置および前記水平偏波通信装置（１１ａ、１２ａ、１１ｂ、１２ｂ）の各々で：
−前記デジタルデータストリームを符号化することと；
−前記ローカル通信チャネル（１１ｃ、１２ｃ）上で前記コモンモード信号として送信されるように、符号化された前記デジタルデータストリームを、前記第１及び第２のアナログ差動インターフェースステージの各々のコモンモードノードに送ることと；
を含む、請求項１６の方法。
【請求項２０】
前記垂直偏波通信装置および前記水平偏波通信装置（１１ａ、１２ａ、１１ｂ、１２ｂ）の各々で：
−前記ローカル通信チャネル（１６、１７）からの前記コモンモード信号を受信することと；
−前記コモンモード信号をデジタルデータストリームに復号することと；
をさらに含む、請求項１９の方法。
【請求項２１】
前記符号化するステップは、マンチェスタ符号または３３／６６％のパルス幅変調符号に従って符号化することを含む、請求項２０の方法。
【発明の詳細な説明】
【技術分野】
【０００１】
本発明は、無線アプリケーションに関する。特に、本発明は、各無線リンク内で２つの直交偏波信号（orthogonally  polarized  signal）が同時に送信される無線通信ネットワークの装置間においてローカルで情報を転送するシステムおよび方法に関する。
【背景技術】
【０００２】
今日、今まで以上に、ネットワーク運用者は、効率性およびトラフィックのケイパビリティの観点からほとんどの変復調装置の通信の傾向をカバーするソリューションを探している。無線ネットワークでは、使用される帯域幅のヘルツあたりのキャパシティの観点での効率的なソリューションは、同一のアンテナで同一チャネル偏波共用（Co-Channel  Dual  Polarized）の電磁場で２つのＲＦ信号（通常、Ｈ信号およびＶ信号と呼ばれる）を送信することである。同一チャネル偏波共用（ＣＣＤＰ）は、無線送信ネットワークのキャパシティを倍増し、キャパシティの観点と周波数の再使用の観点との両方で、高密度の周波数帯域での、ネットワーク運用者にとっての明らかな利点を伴う。
【０００３】
マイクロ波の無線エネルギーは、波で進み、水平方向および垂直方向の両方に伝わる。この物理現象は、同時に両方の偏波上でのＲＦ波の送信を可能にする。同一チャネル偏波共用の動作は、直交偏波で同一リンク上での２つの並行の通信チャネルを提供し、したがってリンクキャパシティを倍増する。別々の独立した信号は、単一の交差偏波アンテナ（cross  polar  antenna）を使用して同一の無線チャネル上で送信される。
【０００４】
２つの信号の直交性にもかかわらず、不完全なアンテナ分離およびチャネルの衰退（典型的には偏光解消効果）に起因して、信号間のいくらかの干渉がほとんど必然的に発生する。
【０００５】
ＣＣＤＰチャネルを使用し、干渉の影響を消去するための主な技術は、交差偏波間干渉補償器（ＸＰＩＣ）と呼ばれる。
【０００６】
図１は、既知のＸＰＩＣシステムの受信側の高レベルのブロック図を示す。システム１は、２つの直交偏波無線信号、垂直偏波信号４ａおよび水平偏波信号４ｂを受信する交差偏波アンテナ２を含む。当該２つの直交偏波無線信号は、ＱＡＭで変調されている。
【０００７】
垂直変復調装置３ａおよび水平変復調装置３ｂは、アンテナ２により検出される垂直偏波信号４ａおよび水平偏波信号４ｂをそれぞれ受信するために提供される。特に、変復調装置は、ベースバンド信号の復調を実行する復調器５ａおよび５ｂを含む。そのように得られた復調されたベースバンド信号は、交差偏波消去を実行するために２つの変復調装置の間で交換される。特に、両方の変復調装置における偏波信号および交差偏波信号の両方のアナログ／デジタル変換並びに帯域通過フィルタリング６ａ、６ｂの後に、偏波信号からの交差偏波信号の差し引きが、ノード７ａおよび７ｂにおいて実行され、したがって交差偏波干渉を消去する。各変復調装置の交差偏波補償器（cross-polar  canceller）は、２つの受信パスからの信号を処理し、合成して、元の独立した信号を復元する。
【０００８】
既存の技術の変復調装置の傾向は、適応変調の機能性を伴う無線システムを使用することである。適応変調の使用は、好ましい伝搬条件を伴う期間に、同一の無線周波数チャネル上での増加されたキャパシティを提供する。これは、保証キャパシティのためのリンクを形成するために使用される変復調方式であって、ライセンスされたスペクトラム効率クラスに関連する上記変復調方式よりも、よち高い変調方式を使用して得られる。これは、（より高いビットエラーレートの閾値および線形性の改善のための送信電力の減少により）減少したリンク予算（link  budget）に起因してより低い可用性を伴うより高いキャパシティをもたらす。
【０００９】
近頃、技術の挑戦は、より高いトラフィックケイパビリティおよび無線リンクパフォーマンスのより高い最適化を保証するために、適応変調およびＸＰＩＣの両方の機能性を同時にサポートできるマイクロ波無線リンクを開発することである。
【００１０】
既存のソリューションの問題は、既に説明されたＸＰＩＣシステムは非常に効率的であるにもかかわらず適応変調機能および新たな動的なサービスについて完全には最適化されていないという事実に関連する。
【００１１】
実際には、固定変調の無線リンクで上記ＸＰＩＣソリューションを使用すると、（水平偏波および垂直偏波を扱う）２つの変復調装置の間の相互通信チャネルは必要ではない。交差偏波消去を実行する、変復調装置内のデジタル信号処理ブロックは、交差偏波を処理する変復調装置の状態から独立して機能する。
【００１２】
反対に、ＸＰＩＣが適応変調またはこれらの新たな種類の動的なサービスと組み合わせられる場合に、２つの変復調装置の間のいくらかの通信が、変調次数、トラフィックレート、および、適応変調の目的に有用に違いないいずれかの他の利用可能な情報等の追加情報をそれらの間で共有するために求められる。
【００１３】
したがって、本ソリューションの主な不利な点は、機器間に追加のワイヤまたはケーブルを導入しない限り、２つの変復調装置の間における本来の通信チャネルの欠落である。上記導入は、追加の生産コストおよび導入の観点でのより大きな複雑さにつながる。
【発明の概要】
【００１４】
本発明の目的は、従来技術に影響する上記欠点を克服することである。
【００１５】
この目的および後により明らかになる他の目標は、差動入力に基づいて通信チャネル上で第１のデータを通信する機能を伴う少なくとも１つの差動インターフェースステージを含む通信装置により達成される。上記通信装置の主な特徴は、上記差動インターフェースステージに接続される手段であって、上記差動インターフェースステージのコモンモードを変調することによって上記通信チャネル上で第２のデータを伝達する上記手段を備えることである。
【００１６】
望ましくは、上記差動インターフェースステージは、上記通信チャネルで上記第１のデータの互いに直交する成分を送信するために、第１の差動インターフェースステージおよび第２の差動インターフェースステージを含む。
【００１７】
さらに、上記差動インターフェースステージは、上記通信チャネルからの上記第１のデータの互いに直交する成分を受信するために、第３の差動インターフェースステージおよび第４の差動インターフェースステージを含む。上記差動インターフェースステージは、少なくとも１つの第１のバッファをさらに含んでもよい。
【００１８】
上記第２のデータを伝送する上記手段であって、上記差動インターフェースステージに接続される上記手段は、第２のバッファを含んでもよい。
【００１９】
上記通信装置は、上記差動入力に接続される少なくとも１つの直交振幅変調（QAM）復調器、並びに、上記第３の差動インターフェースステージおよび上記第４の差動インターフェースステージの出力に接続される少なくとも１つの交差偏波間干渉補償器（ＸＰＩＣ）を備えてもよい。
【００２０】
上記第２のデータは、マンチェスタ符号または３３／６６％のパルス幅変調符号を通して符号化されるデジタルデータであってもよく、固定長の構造化されたフレームの中で伝達されてもよい。
【００２１】
上記通信装置は、適応変調および交差偏波消去の無線リンクに適した変復調装置であってもよい。
【００２２】
上記目的および目標は、直交偏波を伴う無線信号を伝達するための無線リンクであって、ローカル通信チャネルを共有する垂直偏波通信装置および水平偏波通信装置を含む上記無線リンクによっても、達成される。
【００２３】
これらの通信装置の各々は、差動入力に基づいて上記ローカル通信チャネル上で第１のデータを伝達する少なくとも１つの差動インターフェースステージを備える。主な特徴は、これらの垂直偏波通信装置および水平偏波通信装置の各々が、上記差動インターフェースステージに接続される手段であって、上記差動インターフェースステージのコモンモードを変調することによって上記ローカル通信チャネル上で第２のデータを伝達する上記手段を備える、ということである。
【００２４】
上記差動インターフェースステージは、上記通信チャネル上で上記第１のデータの互いに直交する成分を送信する第１の差動インターフェースステージおよび第２の差動インターフェースステージを含んでもよい。上記差動インターフェースステージは、上記通信チャネルからの上記第１のデータの互いに直交する成分を受信する第３の差動インターフェースステージおよび第４の差動インターフェースステージをさらに含んでもよい。
【００２５】
さらに、上記少なくとも１つの差動インターフェースステージは、少なくとも１つの第１のバッファを含んでもよい。
【００２６】
上記第２のデータを伝達する上記手段であって、上記差動インターフェースステージに接続される上記手段は、第２のバッファを含んでもよい。
【００２７】
上記垂直偏波通信装置および上記水平偏波通信装置の各々は、上記差動入力に接続される少なくとも１つの直交振幅変調（ＱＡＭ）復調器を備えてもよい。少なくとも１つの交差偏波間干渉補償器（ＸＰＩＣ）は、上記第３の差動インターフェースステージおよび上記第４の差動インターフェースステージの出力に接続されてもよい。
【００２８】
上記第２のデータは、好ましくは、マンチェスタ符号または３３／６６％のパルス幅変調符号を通して符号化されるデジタルデータであってもよく、固定長の構造化されたフレームの中で伝達されてもよい。
【００２９】
上記無線リンクは、適応変調および交差偏波消去の無線リンクであってもよい。
【００３０】
本発明のさらなる形態によれば、直交偏波を伴う無線信号を伝達するための複数の無線リンクを含む無線通信ネットワークが提供される。各無線リンクは、ローカル通信チャネルを共有する垂直偏波通信装置および水平偏波通信装置を含む。これらの通信装置の各々は、差動入力に基づいて上記ローカル通信チャネル上で第１のデータを伝達する少なくとも１つの差動インターフェースステージを備える。主な特徴は、これらの垂直偏波通信装置および水平偏波通信装置の各々が、上記差動インターフェースステージに接続される手段であって、上記差動インターフェースステージのコモンモードを変調することによって上記ローカル通信チャネル上で第２のデータを伝達する上記手段を備える、ということである。
【００３１】
上記差動インターフェースステージは、上記通信チャネル上で上記第１のデータの互いに直交する成分を送信する第１の差動インターフェースステージおよび第２の差動インターフェースステージを含んでもよい。
【００３２】
上記差動インターフェースステージは、上記通信チャネルからの上記第１のデータの互いに直交する成分を受信する第３の差動インターフェースステージおよび第４の差動インターフェースステージも含んでもよい。
【００３３】
さらに、上記差動インターフェースステージは、少なくとも１つの第１のバッファを含んでもよい。
【００３４】
上記第２のデータを伝達する上記手段であって、上記差動インターフェースステージに接続される上記手段は、第２のバッファを含んでもよい。
【００３５】
上記垂直偏波通信装置および上記水平偏波通信装置の各々は、上記差動入力に接続される少なくとも１つの直交振幅変調（ＱＡＭ）復調器をさらに備えてもよい。少なくとも１つの交差偏波間干渉補償器（ＸＰＩＣ）は、上記第３の差動インターフェースステージおよび上記第４の差動インターフェースステージの出力に接続されてもよい。
【００３６】
上記第２のデータは、好ましくは、マンチェスタ符号または３３／６６％のパルス幅変調符号を通して符号化されるデジタルデータであってもよく、固定長の構造化されたフレームの中で伝達されてもよい。
【００３７】
上記垂直偏波通信装置および上記水平偏波通信装置の各々は、適応変調および交差偏波消去の無線リンクに適した変復調装置であってもよい。
【００３８】
本発明の目的および目標は、無線通信ネットワークにおいて複数の無線リンク間で無線信号を伝達する方法によっても達成される。各無線リンクは、垂直偏波通信装置および水平偏波通信装置を含む。上記垂直偏波通信装置は垂直偏波無線信号を受信し、上記水平偏波通信装置は、水平偏波無線信号を受信する。
【００３９】
各無線リンクにおいて、上記垂直偏波通信装置と上記水平偏波通信装置との間で共有されるローカル通信チャネルが提供される。
【００４０】
第１のデータが、差動入力に基づいて個々の差動インターフェースステージを通してこれらの水平偏波通信装置および垂直偏波通信装置の各々により上記ローカルチャネル上で伝達される。
【００４１】
上記方法は、上記垂直偏波通信装置および上記水平偏波通信装置のいずれかで、上記差動インターフェースステージのコモンモードを変調することにより上記ローカル通信チャネル上で第２のデータを伝達するステップを特徴とする。
【００４２】
ローカル通信チャネルを提供する上記ステップは、好ましくは、上記垂直偏波通信装置と上記水平偏波通信装置との間のデジタル通信チャネルを組み込むことを含んでもよい。
【００４３】
さらに、第１のデータを伝達する上記ステップは、受信された無線信号を２つの互いに直交する成分へと復調するステップと、上記差動インターフェースステージの上記差動入力にこれらの直交する成分の各々を送るステップと、上記ローカル通信チャネル上で上記第１のデータの上記直交する成分を送信するステップとを含んでもよい。
【００４４】
第１のデータを伝達する上記ステップは、また、上記差動入力で、上記ローカル通信チャネルからの上記第１のデータの互いに直交する成分を受信するステップと、クロストーク補償信号を取得するためにこれらの互いに直交する成分を交差偏波間干渉補償器に送信するステップとを含んでもよい。
【００４５】
上記方法は、上記垂直偏波通信装置で、復調された受信された上記無線信号から、上記水平通信装置からの上記クロストーク補償信号を差し引くステップと、上記水平偏波通信装置で、復調された受信された上記無線信号から、上記垂直通信装置からの上記クロストーク補償信号を差し引くステップとをさらに含む。
【００４６】
第２のデータを伝達する上記ステップは、上記垂直偏波通信装置および上記水平偏波通信装置の各々で、上記垂直偏波通信装置および上記水平偏波通信装置により共有される情報を含むデジタルデータストリームを符号化するステップを含んでもよい。上記ステップは、上記ローカル通信チャネル上で送信されるように、符号化された上記デジタルデータストリームを、上記差動インターフェースステージのコモンモードノードに送るステップも含んでもよい。
【００４７】
第２のデータを伝達する上記ステップは、上記垂直偏波通信装置および上記水平偏波通信装置の各々で、上記差動インターフェースステージのコモンモードノードで上記第２のデータを受信するステップを含んでもよい。上記第２のデータは、上記垂直偏波通信装置および上記水平偏波通信装置により共有される情報を含んでもよい。さらに、第２のデータを伝達する上記ステップは、上記第２のデータをデジタルデータストリームに復号するステップを含んでもよい。
【００４８】
上記方法は、マンチェスタ符号または３３／６６％のパルス幅変調符号に従って符号化するステップをさらに含んでもよい。
【００４９】
上記方法は、固定長の構造化されたフレームの中で上記第２のデータを伝達するステップを含んでもよい。
【００５０】
本発明は、好都合に、ＸＰＩＣの構成の中で動作する２つの変復調装置の間の組み込まれたデジタルデータチャネルを供給し、追加のデジタル相互通信チャネルを提供する、ということがわかる。例えば適応変調の特徴がサポートされなければならずまたはサポートされるべきである場合に必要な情報を２つの変復調装置の間で共有するために、組み込まれたチャネルは追加の通信パスを供給する。実際に、ＸＰＩＣおよび適応変調の特徴の両方が必要である場合に、２つの変復調器の間で実行時間内に、変調次数およびトラフィックレート等の情報を交換するための適切な手段を提供することが必須である。
【００５１】
約１Ｍｂｐｓ以下のビットレートで動作する通信チャネルを使用して、リンクの状態、監視、アラーム等の情報も共有することができる。この賢明なソリューションを用いて、例えば、障害または高いフェージングレベルがちょうど１つの偏波パスに発生する場合に、直交するものを使用して、偏波チャネルの状態についてのホップ情報上でのハンドシェイクにより無線リンクのパフォーマンスを最適化することもできる。
【００５２】
ここで説明される、組み込まれるチャネルのさらなる恩恵は、全てのＸＰＩＣケーブル検出回路（ＸＰＩＣケーブルの正しい接続についてのアラームを提供できる回路）を除去する可能性である。この回路を、「データトグリング検出」または「フレーム整合アラーム」（２つのＸＰＩＣ変復調装置の間のデジタルチャネル上の動作性に基づく検出部）として全デジタルのソリューションに置き換えることができる。これは、ボードのコスト低減、信頼性および平均故障間隔の観点から明らかな利点を与える。
【００５３】
本発明は、２つの変復調装置の間でこのデジタルサービスチャネルを実行するための新規で、容易で、かつ安価なソリューションを供給する。実際に、いずれの追加の物理的な接続（ケーブルまたはワイヤ）も、XPＩＣおよび適応変調の機能性を同時に実行するための２つの機器の基盤の間に提供されない。この技術は、ＸＰＩＣの機能性を実行するために必要な必須の既存の接続を利用する。このように、容易に導入でき、かつ安価な無線リンクを提供することができる。実際に、追加のケーブルがないことにより、完全なソリューションの機器を供給することが可能になる。結果として、システムは、より効率的であり、またより信頼性が高い。
【００５４】
さらに、本発明は、非常により柔軟なマイクロ波リンクのソリューションを提供する。マイクロ波リンクのソリューションは、ＸＰＩＣ機能を達成するために、バックプレーンを介した変復調装置内の通信、または同一の基盤上での追加の受信機の実装を必要とする変復調装置内の通信を提供する。実際に、バックパネルの設計を単純化し、したがって、生産コストを下げ、システムの平均故障間隔を上げることに加えて、上記ソリューションは、必ずしも（典型的には互いに隣接する）固定のスロット位置のみではなく変復調装置を導入する可能性もユーザに与える。これは、段階的な特徴のシステムアップグレードが予測される場合に特に重要である。このソリューションにより、シェルフ内の変復調装置の配置の変更を要することなく適応変調の機能性も追加する、適切なシェルフマガジンに導入されたＸＰＩＣ無線リンクシステムのアップグレードが可能になる。実際には、本発明を採用するＸＰＩＣおよび適応変調の特徴の同時存在は、変復調装置が導入されるスロットの位置から完全に独立している。
【００５５】
好都合に、２つのＸＰＩＣ変復調装置が２つの異なるシェルフマガジンに配置される場合に、顧客は、ハードウェアを変更することなく、コンポーネントを連続して導入することができる。例えば、シェルフマガジンにおけるいずれかの変復調装置の変更または基盤の再構成を必要とすることなく、ＸＰＩＣの後に適応変調を導入することができる。
【図面の簡単な説明】
【００５６】
本発明のさらなる特徴および利点は、特定の排他的ではない実施形態の詳細な説明からより明らかになるであろう。当該実施形態は、添付の図面の中で限定しない例として説明される。
【図１】従来技術に従った典型的なＸＰＩＣ受信機の高レベルのブロック図である。
【図２】本発明に従った無線通信ネットワークのブロック図である。
【図３】本発明に従った受信機ステージの高レベルのブロック図である。
【図４】本発明の好適な実施形態に従った受信機ステージである。
【図５】本発明に従った方法を示すフロー図である。
【図６】本発明の実施形態に従った組み込まれた通信チャネル上で送信されるデジタルデータのマンチェスタ符号化を示す。
【図７】本発明の別の実施形態に従った組み込まれた通信チャネル上で送信されるデジタルデータの３３／６６％のパルス幅変調符号化を示す。
【図８】本発明の実施形態に従った組み込まれたデジタルデータチャネルのためのフレーム構造を示す。
【図９】本発明の実施形態に従った組み込まれたデジタルデータチャネルのための整合シーケンスを表現するフロー図である。
【発明を実施するための形態】
【００５７】
図２は、ＣＣＤＰを伴うＲＦ信号のような、直交偏波を伴う無線信号を伝達するための複数の無線リンクを含む無線通信ネットワーク１０を示す。
【００５８】
単純化の目的で、これらの無線リンクのうちの１組のみが示され、特に第１の無線リンク１１および第２の無線リンク１２が示される。第１の無線リンクは、受信機ステージとして機能し、垂直偏波通信装置１１aおよび水平偏波通信装置１１ｂを含む。また、同様に、第２の無線リンク１２は、送信機ステージとして機能し、垂直偏波通信装置１２aおよび水平偏波通信装置１２ｂを含む。好都合に、垂直偏波通信装置および水平偏波通信装置は、変復調装置であり、以下の説明ではそのように呼ばれる。
【００５９】
各無線リンクについての水平変復調装置および垂直変復調装置は、第１の無線リンク１１について１１ｃと示され、また第２の無線リンク１２について１２ｃと示されるローカル通信チャネルを共有する。
【００６０】
第１の無線リンク１１は、第１の交差偏波アンテナ１４を提供される。同様に、第２の無線リンク１２は、第２の交差偏波アンテナ１５を提供される。
【００６１】
第１の交差偏波アンテナ１５は、２つの直交偏波成分１３ａおよび１３ｂを伴う無線信号１３を送信するのに適している。無線信号１３は、第２の交差偏波アンテナ１４により受信されることが可能である。
【００６２】
図３は、垂直変復調装置１１ａから水平変復調装置１１ｂへのローカル通信チャネル１１ｃを提供する一般的な構成を詳細に示す。
【００６３】
垂直変復調装置１１ａは、ローカル通信チャネル１１ｃ上で第１のデータを送信するように適合される。ローカル通信チャネル１１ｃは、両方の変復調装置のインターフェースステージ間でケーブルを接続することにより得られる。特に、垂直変復調装置１１ａは、少なくとも１つの復調器を備える。当該復調器は、第１の交差偏波アンテナ１４から受信される垂直偏波無線信号１３ａを復調し、ローカル通信チャネル１６上で送信される第１のデータを取得する。
【００６４】
本発明の好適な実施形態では、第１の交差偏波アンテナ１４により受信される垂直偏波無線信号１３ａの（Ｉ信号およびＱ信号で示される）個々の直交位相成分を復調するために、２つのＱＡＭ復調器２２および２３が垂直変復調装置１１ａにおいて提供される。
【００６５】
ＱＡＭ復調器２２および２３の下流には、送信差動インターフェースステージが接続される。第１の差動インターフェースステージ２１ａは、第１のＱＡＭ復調器２２により出力されるＩ成分に対して動作する。一方、第２の差動インターフェースステージ３１ａは、第２のＱＡＭ復調器２３により出力されるＱ成分に対して動作する。
【００６６】
垂直変復調装置１１ａは、符号化されていない第２のデータを生成するＴＸデータストリームソース２４を備える。当該符号化されていない第２のデータは、ローカル通信チャネル１１ｃの中に組み込まれるチャネルの中で送信される。符号化されていない第２のデータは、デジタルデータストリームであり得る。当該デジタルデータストリームは、組み込まれた通信チャネル上での送信の前に適切に符号化され得る。この目的に向けて、垂直変復調装置１１ａは、クロックデータ符号器２５を備え得る。クロックデータ符号器２５は、ＴＸデータストリームソース２４の下流に接続され、ＴＸクロック生成器２６を提供される。符号化方法の候補は、後に説明される。
【００６７】
クロックデータ符号器２５の出力は、バッファのような適切な手段２７を通してコモンモード信号として第１の差動インターフェースステージ２１ａに与えられる第２のデータを表す。ＱＡＭ復調器のために、第２のデータは、第２の差動インターフェースステージ３１ａにも与えられる。したがって、第２のデータは、差動インターフェースステージのコモンモードを復調する。そうでなければ、０またはグランドに関する一定の電圧である。
【００６８】
既に説明されたように、組み込まれた通信チャネルを既存のローカルチャネル１１ｃに追加することにより、２つの変復調装置の間に追加のケーブルまたは相互接続が必要とされない、ということが分かる。
【００６９】
水平変復調装置１１ｂでは、通信チャネル１１ｃ上で垂直変復調装置１１ａにより送信される第１のデータおよび第２のデータを受信する手段が提供される。より具体的には、２つの受信差動インターフェースステージ２１ｂおよび３１ｂは、垂直変復調装置１１ａからの復調されたデータのＩ成分およびＱ成分をそれぞれ受信する。
【００７０】
水平変復調装置１１ｂは、受信差動インターフェースステージ２１ｂおよび３１ｂの両方からのコモンモード成分を抽出するために、受信差動インターフェースステージ２１ｂに接続される、バッファのような手段３７も備える。コモンモード信号は垂直変復調装置１１ａにより２つの直交位相デジタル信号ＩおよびＱとして送信されるので、差動インターフェースステージ３１ｂから手段３７により抽出されるコモンモード信号Ｖｃｍは、否定される。
【００７１】
自らのＲＸクロック３６を提供されることが可能であるクロックデータ復号器３５は、バッファ３７の下流に接続される。クロックデータ復号器３５は、符号化されていない第２のデータを復元することができ、当該第２のデータをデータストリーム受信器３４に与える。そして、データストリーム受信器３４は、例えば適応変調のために当該第２のデータを利用する。
【００７２】
コモンモード成分の抽出とは別に、差動インターフェースステージ２１ｂおよび３１ｂの出力は、それぞれのＸＰＩＣ補償器３２および３３に接続される。ＸＰＩＣ補償器３２および３３は、従来技術に従って、ＸＰＩＣ消去のために２つの直交信号を処理する。
【００７３】
図４は、垂直変復調装置１１ａおよび水平変復調装置１１ｂのコンポーネントのより詳細な図を与える。当該図は、ローカル通信チャネル１１ｃ上の両方の情報フローを含む。特に、第１の通信チャネル１６は、垂直変復調装置１１ａから水平変復調装置１１ｂに情報を搬送する。一方、第２の通信チャネル１７は、水平変復調装置１１ｂから水平変復調装置１１ａに情報を搬送する。
【００７４】
第１の通信チャネル１６は、第１のデータを搬送する復調された信号のＩ成分およびＱ成分、並びに第２のデータを搬送するコモンモード信号のための、個々の差動相互接続１６１および１６２を含む。同様に、第２の通信チャネル１７も、後に説明されるように、水平変復調装置から垂直変復調装置への第１のデータおよび第２のデータが送信される個々の差動相互接続１７１および１７２を含む。
【００７５】
垂直変復調装置１１ａでは、上記のように、アンテナ１４により受信される垂直偏波無線信号１３ａのＩ成分を、例えば当該信号とサイン信号とを掛け合わせることによって復調するために、第１のＱＡＭ復調器２２が提供される。一方、第２のＱＡＭ復調器２３は、同一の垂直偏波信号１３ａのＱ成分を、当該信号１３ａと直交位相信号（例えば、コサイン信号）とを掛け合わせることによって復調する。
【００７６】
差動インターフェースステージ２１ａおよび３１ａは、好ましくは、バッファの構成の中における、差動信号の処理のための演算増幅器である。当該演算増幅器により、（それぞれ２８、３８で示される）自らのピンに適切にバイアスを与え、中間周波数の帯域幅内に動かすことにより、コモンモードの出力電圧を設定することが可能となる。
【００７７】
低い出力電圧振幅を伴う差動デジタル駆動器２７は、第２のデータを伝達する手段として用いられ、特に、組み込まれた通信チャネルを駆動するように適合される。好ましくは、共通の安価な低電圧差動信号（ＬＶＤＳ）のバッファを、この目的のために使用することができる。図４には示されていないが、当該駆動器２７は、図３のクロックデータ符号器２５の出力に接続される入力を有する。
【００７８】
バッファ２７の２つの差動出力は、それぞれ、コンデンサＣ１およびＣ２を介して、アナログ差動インターフェースステージ２１ａおよび３１ａのコモンモードノード２８および３８と交流結合される。減結合コンデンサＣ１およびＣ２の容量は、組み込まれた通信チャネルに必要とされる最大周波数に基づいて選択される。
【００７９】
水平変復調装置１１ｂの受信差動インターフェースステージ２１ｂおよび３１ｂは、Ｉ復調ベースバンド信号およびＱ復調ベースバンド信号をバッファリングするように、バッファの構成の中における、差動信号の処理のための演算増幅器であり得る。
【００８０】
水平変復調装置１１ｂにより受信されるＩ信号およびＱ信号からコモンモード信号を抽出するために、等しい抵抗値を伴う一連のレジスタＲ１−Ｒ２およびＲ３−Ｒ４が、ステージ２１ｂおよび３１ｂの差動入力に与えられる２つの差動ラインの適切な終結を供給する。
【００８１】
特に、一連のレジスタＲ１−Ｒ２およびＲ３−Ｒ４は、それぞれ、当該中間地点の電圧を調べるように適合されるバッファ３７の差動入力に接続される個々の中間点ＡおよびＢを含む。上記接続は個々のコンデンサＣ３およびＣ４を介して現れ、それにより電圧の変化が検出されることが可能である。このように、バッファ２７を介して送信機側に適用されるコモンモードの電圧は、２つの一連のレジスタネットワークＲ１−Ｒ２およびＲ３−Ｒ４の中間地点ＡおよびＢでも受け取られる。
【００８２】
バッファ３７は、点ＡおよびＢにおける２つのコモンモード電圧の間の差動値を受信するために使用される差動低振幅電圧バッファである。したがって、バッファ３７自体により出力される、バッファ３７の入力間の電圧差は、確かに、入力２７で垂直変復調装置１１ａにおける送信機側で供給されたものと同一の復元されたデジタルデータストリームである。バッファ３７の出力に接続されるクロックデータ復号器３５で、当該データを復号し、元の符号化されていない第２のデータを復元することができる。
【００８３】
上記説明は、垂直変復調装置１１ａから水平変復調装置１１ｂへの第１の通信チャネル１６に言及した。垂直変復調装置１１ａの送信機側および水平変復調装置１１ｂの受信機側が関与した。しかしながら、第２の逆向きの通信チャネル１７も、垂直変復調装置におけるＸＰＩＣ消去を実行するために存在する。この目的に向けて、反対の方向（水平変復調装置１１ｂから垂直変復調装置１１ａへの方向）で機能するものの、チャネル１６を参照して説明された装置に同様に対応する装置が提供される。受信器側は、垂直変復調装置１１ａが提供され、送信機側は、水平変復調装置１１ｂが提供される。このように、双方向のデジタルデータリンクが得られる。
【００８４】
水平変復調装置１１ｂは、通信チャネル１７上で水平偏波無線信号１３ｂにより搬送される情報に対応する第１のデータを伝達する。また、そのようにするために、水平変復調装置１１ｂは、２つの復調器を含む。本発明の好適な実施形態によれば、当該２つの復調器は、ＱＡＭ復調器４２および４３であり得る。これらのＱＡＭ復調器の出力は、第１の差動インターフェースステージ４１ｂおよび第２の差動インターフェースステージ５１ｂの個々の差動入力に与えられる。第１の差動インターフェースステージ４１ｂおよび第２の差動インターフェースステージ５１ｂは、上記ステージ２１ａおよびステージ３１ｂと同じである。すなわち、第１の差動インターフェースステージ４１ｂおよび第２の差動インターフェースステージ５１ｂは、バッファの構成における、差動信号の処理のための演算増幅器である。当該ステージ４１ｂおよび５１ｂは、それらの出力において、個々の差動相互接続１７１および１７２に接続される。差動相互接続１７１および１７２は、別々のケーブルであり得る。
【００８５】
ＬＶＤＳバッファのような、低い出力電圧振幅を伴う差動デジタル駆動器４７は、用いられて、デジタルの組み込まれた通信チャネルを駆動する。コンデンサＣ７およびＣ８は、使用されて、アナログバッファ４１ｂおよび５１ｂのコモンモードノード４８および５８に、バッファ４７の２つの差動出力を結合する。減結合コンデンサの値は、デジタルの組み込まれた通信チャネルに必要とされる最大周波数によって決まる。
【００８６】
垂直変復調装置１１ａの受信機側は、２つのさらなる差動インターフェースステージ４１ａおよび５１ａを備える。差動インターフェースステージ４１ａおよび５１ａの差動入力は、それぞれ差動相互接続１７１および１７２に接続される。これらの２つのステージは、用いられて、Ｉ復調ベースバンド信号およびＱ復調ベースバンド信号をバッファリングする。
【００８７】
そして、２つの直交信号は、従来技術に従って、ＸＰＩＣ消去のためにＸＰＩＣ補償器５２および５３により処理される。
【００８８】
同じ一連のレジスタＲ５−Ｒ６およびＲ７−Ｒ８が、適切に２つの差動ラインの終結を供給する。送信機側１１ｂに適用されるコモンモード電圧は、２つの一連のレジスタネットワークＲ５−Ｒ６およびＲ７−Ｒ８の中間点Ｃ並びにＤにおいても受け取られる。コンデンサＣ５およびＣ６を介して結合される電圧の変化は、落とされて、差動低振幅電圧バッファ５７により点ＣおよびＤを調べる。差動低振幅電圧バッファ５７は、使用されて、ＩブランチおよびＱブランチからの２つのコモンモード電圧の間の差動値を受け取る。したがって、バッファ５７から出力される、バッファ５７の入力の間の差は、確かに、水平変復調装置１１ｂにおける送信機側で４７の入力で供給されたものと同一の復元されたデジタルデータストリームである。
【００８９】
ＣＣＤＰのＲＦ信号の通信を用いる無線リンク１１内でデータを通信する方法２００は、基本的に３つのステップを含む、ということが分かる。当該ステップは、図５に示される。
【００９０】
ステップ２０１で、無線リンクで、水平偏波通信装置１１ｂおよび垂直偏波通信装置１１ａの間で共有されるローカル通信チャネル１１ｃが提供される。
【００９１】
ステップ２０２で、無線リンクの水平偏波通信装置１１ｂおよび垂直偏波通信装置１１ａは、上記のように差動モードを介してローカル通信チャネル上で第１のデータを伝達する。
【００９２】
ステップ２０３で、無線リンクの水平偏波通信装置１１ｂおよび垂直偏波通信装置１１ａは、コモンモードを介してローカル通信チャネル上で第２のデータを伝達する。
【００９３】
新たな固有のチャネルの組み込み技術が使用されて、２つのＸＰＩＣ変復調装置の間で共有される２つの主要なＩブランチおよびＱブランチのコモンモード電圧ＶＣＭを扱うことによりデジタルデータが送受信される、ということに留意する。２つのＸＰＩＣ変復調装置を接続するために使用されるデジタルデータチャネルは、低電圧振幅標準（ＬＶＤＳが適当なものである）に基づく。２つの差動Ｉアナログ信号および差動Ｑアナログ信号のコモンモード電圧（ＶＣＭ）は、第２のデータと呼ばれている特定のデータ情報を運ぶための媒体として使用される。２つのＩ−ＱＡＭブランチおよびＱ−ＱＡＭブランチのＶＣＭは、コンデンサを介して、バッファ２７および４７のような差動デジタルデータ送信機の正および負に結合される。ＶＣＭに加えられる低振幅電圧標準の使用は、２つの変復調装置の間で交換されるＩ信号およびＱ信号を妨げない。換言すると、差動モードで動作するように設計されたデジタルの組み込まれた通信チャネルの送信機は、変復調装置により共有される主要なＩブランチおよびＱブランチを干渉することも妨げることもなく、基準値のまわりでコモンモード電圧を弱く駆動する。これは、アナログＩ手段およびアナログＱ手段は差動信号であり、広い許容範囲内でコモンモードの変化に影響されないためである。
【００９４】
このソリューションは、まさに差動駆動器の本来のコモンモードの除去率を利用し、ハードウェア外部回路を単純化する。
【００９５】
受信側で、通信チャネル１１ｃの中に組み込まれるデジタルデータチャネルは、差動受信機バッファを使用して落とされる。送信機側により駆動されるＶＣＭは、受信機側で容易に復元されることが可能である。差動信号が使用される場合に通常現れる１００オームである、送信ラインの最後に配置されたマッチング抵抗器は、用いられて、追加のデジタルデータチャネルを落とすことが可能である。終端抵抗が一連の構成の中で同じ抵抗器からなる場合に、それらの中間点は差動リンクのＶＣＭを供給する。ＬＶＤＳ標準受信機のような差動受信機にコモンモードを結合することは、（おおよそ１Ｍｂｐｓ以下の）中間周波数のデジタルデータ通信リンクをもたらすことができる。
【００９６】
ＬＶＤＳ信号は、Ｉアナログ信号およびＱアナログ信号のように、差動手法でチャネル１１ｃの中で運ばれる。これは、外部の電磁気の妨げに対する輸送データの高い耐性を保証する。
【００９７】
図６は、各変復調装置の送信側での第２のデータの符号化アルゴリズムの候補の１つであるマンチェスタ符号化を詳細に示す。
【００９８】
マンチェスタ符号は、低から高への遷移で論理状態「０」の符号を付与して機能する。論理状態「１」は、高から低への遷移として得られる。各ビットは、複数のＴＸクロック期間により与えられる固定の期間６１で送信される。図６は、このアルゴリズムがどのように符号化されたストリームの中の入力ビットを変換するかを伝える。
【００９９】
各符号化されたビットは、期間６１の中間点での遷移を含む。符号化されていないデータビット「１」６２は、ビット６４としてマンチェスタ符号化される。当該ビット６４は、最初に「１」であり、そして「０」状態への高から低への遷移を示す。
【０１００】
符号化されていないデータビット「０」６３は、ビット６５としてマンチェスタ符号化される。当該ビット６５は、最初に「０」であり、そして「０」状態への低から高への遷移を示す。
【０１０１】
データ送信技術によって、符号化されたストリームは、コモンモード電圧として受信機側により受信され、復号器ブロックの入力に提供される。
【０１０２】
必要であれば、クロック復元機能を実装することができる。例えば、ＲＸクロック３６の可用性を考慮して、図３によれば、当該クロックは、デジタルチャネルのビットデータレートよりも高い周波数を有するように選択される場合に、クロック復元プロセスのためのオーバーサンプリングの技術を当然に使用するようになる。ＲＸクロック３６のより高い周波数によって、符号化されたデータをオーバーサンプリングすることが可能となり、データ受信機の内容を定義する遷移を区別する（低から高への遷移は０を意味し、高から低への遷移は１を識別する）。したがって、復号されたデータは、ＲＸクロック３６と同期し、または複数の周波数で同期する。
【０１０３】
代替のクロック／データの復元は、プラットフォームシステムのクロックの可用性に基づくことが可能である。このソリューションは、プラットフォームレベルでの共通の同期クロックが利用可能である場合に適用され得る。換言すると、プラットフォーム、そしてまた２つのＸＰＩＣ変復調装置において機能している全てのブランチにおいて、共通のシステムクロックが存在する。この同期クロックは、ＴＸ符号化ブロック２５およびＲＸ復号ブロック３５の両方で用いられる。したがって、既に自己同期されたＲＸ／ＴＸ構造が得られる。
【０１０４】
図７は、各変復調装置の送信側におけるデジタルデータの符号化アルゴリズムの別の候補、すなわち３３／６６％のパルス幅変調符号を詳細に示す。
【０１０５】
また、この場合に、ビットは、固定の期間で比例的にＴＸクロックに送信される。符号は、論理状態「０」７１を、期間の３３％で高であり残りの時間（６６％）で低であるパルス７３に変換する。逆もまた同様に、状態論理「１」７２は、期間の６６％で高であり残り（期間の３３％）で低であるパルス７４として生成される。マンチェスタ符号のように、３３／６６％パルス幅変調（ＰＷＭ）符号は、各送信ビットについて、高から低への繊維または低から高への少なくとも１つの遷移を供給する。この特徴は、（垂直変復調装置または水平変復調装置である）ＲＸ側においてクロック復元ブロックの実装を容易にする。実際に、ＲＸクロック３６を用いたオーバークロック技術を使用して、組み込まれたデジタルチャネルのレートのＮ倍として定義される場合に、低から高への遷移を検出するビット（トリガビット７５）の開始が識別されることが可能である。そして、トリガビット７５の開始からＲＸクロック３６のＮ／２個の期間△ｔの後、すなわちＲＸサンプリング点７６でサンプリングされる復号されたビットの値は、まさに受信機で符号化されたデータの値である。この手続、すなわち、トリガビットッ信号７５を識別し、ＲＸクロック３６のＮ／２個の期間の後に、符号化されたストリームをサンプリングすることは、受信された各符号化されたビットについて実行されるべきである。クロック復元動作の後に、通信チャネル１１ｃの中に組み込まれた情報は、同期クロック（ＲＸクロック３６または複数のＲＸクロック３６）と結合されるように利用可能であり、下流ブロックにより処理される準備ができている。
【０１０６】
また、この場合に、ＲＸ同期は、代わりに、利用可能であれば、共通プラットフォームクロックを使用して得ることができる。
【０１０７】
本発明の上記説明から留意できるように、この開示の中で提案される物理的なトランスポート層の装置は極めて柔軟であり、したがって、この文書で説明された実装とは異なる他のデータ／クロック符号化でも機能できる。しかしながら、マンチェスタ符号または３３／６６％のＰＷＭ符号を使用するソリューションは、実装の単純さおよび低コストの観点での本来の特徴のために最良のものとなる。
【０１０８】
本発明の好適な実施形態に従った、第２のデータを搬送する組み込まれた通信チャネルの実装は、２つの変復調装置の間で交換される情報をフォーマットする適切なプロトコル層を提供する。ソリューションは、同期フレームプロトコルに基づく。その中で、送られるデータは、順々に送信される構造化されたフレームの中にカプセル化される。フレーム構造は、図８の中に詳細に報告される。２つの変復調装置間で交換される情報でリアルタイムの動作を実行するために、各フレーム８１は、運ばれるデータの品質とこのデータが各フレームでリフレッシュされる割合との間の良好なトレードオフとなるように選択される特定の長さを有する。
【０１０９】
各フレーム８１は、順次配置される様々なビットのグループにより形成される。第１のグループは、ヘッダ８２である。ヘッダ８２は、１６ビット長であり得る。ヘッダ８２は、フレームの開始を識別するために変復調装置の受信機側で必要とされる。ビットの第２のグループは、アラーム、制御、状態信号（ＡＣＳ）フレーム８３である。ＡＣＳフレーム８３の中には、本発明に従った第２のデータ、すなわち２つのＸＰＩＣ変復調装置の間で交換される情報が、カプセル化される。ＡＣＳフレーム８３は、４７ビット長であり得る。
【０１１０】
ＡＣＳフレーム８３により搬送される情報は、無線リンクの不動作時間を回避し、または少なくとも制限するために、ＱＡＭ変調次数、無線チャネルの品質、トラフィックレート、障害およびアラームの検出、または交差偏波ＸＰＩＣ変復調装置による即応を必要とするいずれかの他の情報等の、無線リンクの信頼性のための重要なデータであり得る。
【０１１１】
したがって、図示されていない受信側における処理装置は、ＡＣＳフレーム８３の中で運ばれるビットの値に基づいて、全てのリアルタイムの動作を実行することができる。
【０１１２】
フレーム８１は、汎用の通信に用いられるペイロードフィールド８４も含み、例えば、１６ビットの４つのレジスタの中に配置される６４ビットである。典型的には、ペイロードフィールド８４がローカルのマイクロプロセッサにより使用されて、交差偏波ＸＰＩＣ変復調装置からの情報が送信され、交差偏波ＸＰＩＣ変復調装置への情報が受信されることが可能である。
【０１１３】
フレーム８１の最後のフィールド８５は、使用されて、パリティビットを運ぶ。このビットの値は、各変復調装置の送信側でフレームの構築の間に自動的に挿入され、フレームの中に含まれるデータの偶数ビット検査の結果である。換言すると、フィールド８５のビットの値は、フレームの中の１の数が奇数であれば１に設定され、そうでなければ０に設定される。変復調装置の受信機側で、偶数パリティ検査が実行されて、いくつかのビットエラーが送信の中で発生したかが検出される。パリティビット８５が期待するものと合わない場合に、フレーム８１の中のデータ全体が廃棄される。上記説明から明らかなように、フレームの全長は１２８ビットである。
【０１１４】
チャネルのロバスト性を改善するために、各変復調装置の受信機側で、アライナシーケンスも実装されてもよい。アルゴリズムは、図９の中で概略を述べられる。フレーム８１の有効性確認は、まさに、３つの連続するヘッダワードの検出の後に発生する。アルゴリズム３００は、ステップ３０１で開始する。そして、ステップ３０２で、第１のヘッダビットシーケンスが検出されたかが検査される。そうであれば、状態マシンは、第１の同期前状態３０３にステップインし、カウンタは、０から１２８（フレーム長）までの計算を開始する。カウントの終わりに、ステップ３０４で、ヘッダワードの新たな検査が実行される。結果が肯定的であれば、アルゴリズムは、ステップ３０５で以下の第２の同期前状態に移動することを規定する。当該第２の同期前状態は、カウンタをリセットし、再度開始する。
【０１１５】
この第２のカウント（１２８ステップ）の終わりに、ステップ３０６での新たなヘッダワードの検査が別の肯定的な結果を与える場合に、ステップ３０７で、フレームは確かに有効にされ、チャネルは有効であるとみなされることが可能である。整合または有効な状態に到達した場合であっても、カウンタは、（ヘッダと同期する）その計算の各１２８ステップを開始し、整合状態を維持するために、各計算の終わりにヘッダビットワードが検出されるべきである。
【０１１６】
上記同期前状態および上記整合状態の両方で、ヘッダビットシーケンスが（各１２８ビットで）正しい位置に検出されない場合に、状態マシンはリセットされ、プロセスは最初のステップ３０１に戻る。
【０１１７】
本発明は対象とする目的および目標を達成することに留意する。明らかに、いくつかの変更は、当業者にとって明白であり、また本発明の範囲から逸脱することなく当業者により容易に行われることが可能である。したがって、特許請求の範囲の範囲は、例示の形で説明の中で与えられた説明または好適な実施形態により限定されるべきではない。むしろ、特許請求の範囲は、当業者により等価なものとして扱われる全ての特徴を含む、本発明の中に存在する特許性のある新規性の特徴の全てを包含すべきである
【０１１８】
いずれかの請求項の中で言及される技術的な特徴に続いて参照符号がある場合に、これらの参照符号は、請求項のわかりやすさを高めるというただ一つの目的のために含まれている。したがって、当該参照符号は、当該参照符号による例によって識別される各要素の解釈にいずれの限定的な影響も有しない。
【図１】
0005302455.tif 000002
【図２】
0005302455.tif 000003
【図３】
0005302455.tif 000004
【図４】
0005302455.tif 000005
【図５】
0005302455.tif 000006
【図６】
0005302455.tif 000007
【図７】
0005302455.tif 000008
【図８】
0005302455.tif 000009
【図９】
0005302455.tif 000010